(57)【要約】【課題】ハウジングに配線板状部材が差し込まれるコネクタ装置であって、ロック手段により係止された配線板状部材のハウジングからの抜脱にあたり、ロック解除手段に対する作業性の良くない煩わしい操作が必要とされないものを提供する。【解決手段】フレキシブル印刷配線基板１３がロック手段２１Ａ；２１Ｂにより係止されたもとで、可動ロック解除部３０がロック手段に押圧作用を及ぼすとき、ロック手段の弾性アーム部２４Ａ；２４Ｂが、板状部材係止部２７Ａ；２７Ｂにロック解除状態をとらせるとともに変位規制部２８Ａ；２８Ｂに規制解除状態をとらせて、ロック手段の弾性押圧部２３Ａ；２３Ｂに、フレキシブル印刷配線基板をハウジング１１の外部に向けて押圧し、かつ、弾性アーム部に板状部材係止部がロック解除状態をとるとともに変位規制部が規制解除状態をとる位置を維持させる動作を行わせる。【選択図】図１７
2014112472.tif 000002
【特許請求の範囲】
【請求項１】
板状部材差込み部が設けられたハウジングと、
該ハウジングに配列配置されて設けられ、上記板状部材差込み部を通じて上記ハウジングに差し込まれた配線板状部材における複数の接触端子部に接触接続される複数のコンタクトと、
上記ハウジングに設けられ、上記板状部材差込み部を通じて上記ハウジングに差し込まれた配線板状部材に対する係止状態をとるロック手段と、
を備えて成り、
上記ハウジングが、上記ロック手段に作用するロック解除手段を成す可動ロック解除部が設けられたものとされ、
上記ロック手段が、上記ハウジングに固定される固定部と、上記板状部材差込み部を通じて上記ハウジングに差し込まれた配線板状部材に対する押圧状態をとる弾性押圧部と、該弾性押圧部を挟んで上記固定部に対向する位置に上記弾性押圧部に向かう方向に弾力付勢されて配された弾性アーム部とを有し、
上記弾性アーム部に、上記可動ロック解除部が係合する係合受け部と、上記板状部材差込み部を通じて上記ハウジングに差し込まれた配線板状部材に対する係止を行うロック状態と上記係止を解除するロック解除状態とを選択的にとる板状部材係止部と、上記弾性押圧部に係合して該弾性押圧部の弾性変位についての規制を行う規制状態と上記規制を解除する規制解除状態とを選択的にとる変位規制部とが設けられ、
上記板状部材差込み部を通じて上記ハウジングに差し込まれた配線板状部材が上記弾性押圧部に当接して該弾性押圧部を上記配線板状部材の差込み方向に弾性変位させるとき、上記弾性アーム部が、上記板状部材係止部に上記ロック状態をとらせるとともに、上記変位規制部に上記規制状態をとらせ、また、上記可動ロック解除部が上記係合受け部に押圧作用を及ぼすとき、上記弾性アーム部が、上記板状部材係止部に上記ロック解除状態をとらせるとともに、上記変位規制部に上記規制解除状態をとらせて、上記弾性押圧部に、上記差込み方向とは逆の方向に弾性変位して上記配線板状部材を上記板状部材差込み部の外部に向けて押圧し、かつ、上記弾性アーム部に上記板状部材係止部が上記ロック解除状態をとるとともに上記変位規制部が上記規制解除状態をとる位置を維持させる動作を行わせることを特徴とするコネクタ装置。
【請求項２】
上記弾性押圧部が、上記板状部材差込み部を通じて上記ハウジングに差し込まれた配線板状部材により該配線板状部材の差込み方向に弾性変位せしめられていないとき、上記変位規制部に当接して、上記弾性アーム部を、上記板状部材係止部が上記ロック解除状態をとる位置におかれるとともに上記変位規制部が上記規制解除状態をとる位置におかれることになる位置に保持することを特徴とする請求項１記載のコネクタ装置。
【請求項３】
上記複数のコンタクトが、上記板状部材差込み部を通じて上記ハウジングに差し込まれた配線板状部材における複数の接触端子部に弾性当接するものとされ、上記複数の接触端子部に弾性当接したもとで上記可動ロック解除部が上記係合受け部に押圧作用を及ぼすとき、該可動ロック解除部によって上記複数の接触端子部から離隔する方向に弾性変位せしめられることを特徴とする請求項１記載のコネクタ装置。
【請求項４】
上記弾性アーム部が折返し端部を介して上記固定部に連結されており、上記折返し端部に上記係合受け部が設けられることを特徴とする請求項１記載のコネクタ装置。
【請求項５】
上記板状部材係止部が上記弾性アーム部における上記折返し端部に対向する自由端部に設けられており、上記変位規制部が上記弾性アーム部における上記折返し端部と上記自由端部との間に設けられていることを特徴とする請求項４記載のコネクタ装置。
【請求項６】
上記可動ロック解除部が、固定端部が上記ハウジングに連結された一対の可動アーム部と該一対の可動アーム部の夫々の可動端部によって支持されて上記係合受け部に押圧作用を及ぼす状態をとる押圧部とを有することを特徴とする請求項１記載のコネクタ装置。
【請求項７】
上記可動ロック解除部が、固定端部が上記ハウジングに連結された一対の可動アーム部と該一対の可動アーム部の夫々の可動端部によって支持されて上記係合受け部に押圧作用を及ぼす状態をとる押圧部とを有し、該押圧部が、上記複数のコンタクトに押圧作用を及ぼすコンタクト押圧部分を含んでいることを特徴とする請求項３記載のコネクタ装置。
【請求項８】
上記ロック手段が、弾性金属材料により上記固定部，弾性押圧部及び弾性アーム部が一体形成されて成ることを特徴とする請求項１記載のコネクタ装置。
【請求項９】
上記ロック手段が、上記ハウジングにおける上記複数のコンタクトの配列方向の両端部の夫々に設けられていることを特徴とする請求項１記載のコネクタ装置。
【請求項１０】
上記ロック手段が、上記ハウジングにおける上記複数のコンタクトの配列方向の中央部分に設けられていることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等の配線板状部材が装着されるものとされ、装着された配線板状部材に設けられた接触端子部に接触接続されるコンタクトと装着された配線板状部材に対する係止及び係止解除を行うロック手段とを備えたコネクタ装置に関する。
【背景技術】
【０００２】
各種の電子機器に実装される比較的小型なフレキシブル印刷配線基板やフレキシブル平板状ケーブル等の配線板状部材は、種々の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル平板状ケーブルとされる配線板状部材の主配線基板への取付けに用いられるコネクタ装置は、配線板状部材が差し込まれる差込み部を形成するものとされて主配線基板に配される、例えば、絶縁材料によって形成されたハウジングを有している。そして、そのハウジング内に配列配置されて設けられて主配線基板に設けられた配線端子に連結され、配線板状部材が差込み部を通じてハウジングに差し込まれたとき、その配線板状部材に設けられた複数の接触端子部に夫々対応するものとなる複数のコンタクトを備えている。
【０００４】
斯かる従来のコネクタ装置にあっては、配線板状部材が差込み部を通じてハウジングに差し込まれたとき、自動的に、ハウジング内に設けられた複数のコンタクトがハウジングに差し込まれた配線板状部材に設けられた複数の接触端子部に夫々接触接続され、配線板状部材が差込み部を通じてハウジングに適正に差し込まれるだけで、配線板状部材についての主配線基板との複数のコンタクトを介した電気的接続状態が得られる。
【０００５】
このような従来提案されているコネクタ装置にあっては、例えば、フレキシブル平板状ケーブルとされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に離脱するような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、主配線基板に配されるハウジングを有し、ハウジングに配された複数のコンタクトを備えたコネクタ装置に属するものであって、ハウジングに差込み部を通じて差し込まれた配線板状部材に係合して、当該配線板状部材のハウジングからの不所望な抜脱の阻止に関与するロック手段を備えたコネクタ装置が従来提案されている（例えば、特許文献１参照。）。
【０００７】
特許文献１に示されるコネクタ装置(10)にあっては、板状部材差込み部(12)が設けられるとともに複数のコンタクト(15)が配列配置されたハウジング(11)における複数のコンタクトの配列方向の両側部に、一対の実装用補強金具(16, 17)が夫々取り付けられている。そして、各実装用補強金具には、ハウジングに板状部材差込み部を通じて差し込まれた配線板状部材を成すフレキシブル平板状ケーブル(40)に係合する係止部(23)を有した板状部材ロック部 (ロック部(20)) が、フレキシブル平板状ケーブルに対する係止状態をとるロック手段として設けられている。また、ハウジングにおける複数のコンタクトの配列方向の両側部の夫々には、一対の可動ロック解除部（ロック解除部(30, 31)) が、ロック手段による配線板状部材を成すフレキシブル平板状ケーブルに対する係止状態を解除するロック解除手段として設けられている。各可動ロック解除部は、ハウジングに一体的に設けられていて、その一端部(33)がハウジングからその外部へと突出しており、一端部が操作されることにより、ロック手段を成す板状部材ロック部にフレキシブル平板状ケーブルに対する係止を解除させる。
【０００８】
このような特許文献１に示されるコネクタ装置において、フレキシブル平板状ケーブルが板状部材差込み部を通じてハウジングに差し込まれると、ハウジングにおける複数のコンタクトの配列方向の両側部に設けられた一対のロック手段を成す板状部材ロック部の夫々が、その係止部をフレキシブル平板状ケーブルに係合させてフレキシブル平板状ケーブルに対する係止状態をとる。それにより、ハウジングに差し込まれたフレキシブル平板状ケーブルが、ロック手段によって係止され、ハウジングからの不所望な抜脱が阻止される状態におかれる。
【０００９】
その後、一対のロック手段の夫々が板状部材差込み部を通じてハウジングに差し込まれたフレキシブル平板状ケーブルを係止したもとで、ハウジングに設けられた一対のロック解除手段を成す可動ロック解除部の夫々の一端部が、それにハウジング内に向かう方向の押圧力が加えられて操作されたとき、可動ロック解除部が移動して、その他端部が板状部材ロック部が有する係止部を変位させてフレキシブル平板状ケーブルとの係合から外し、それにより、ロック解除手段がロック手段にフレキシブル平板状ケーブルに対する係止状態を解除する状態が得られる。その結果、ハウジングに差し込まれたフレキシブル平板状ケーブルがハウジングから抜脱され得る状態におかれる。
【先行技術文献】
【特許文献】
【００１０】
【特許文献１】特開２０１１−１１９１６２号公報（段落００４０〜００５１, ００６２〜００７１, 図５〜１０, 図１３〜１６）
【発明の概要】
【発明が解決しようとする課題】
【００１１】
上述のような、ハウジングに差し込まれたフレキシブル平板状ケーブル等の配線板状部材のハウジングからの不所望な抜脱の阻止に関与するロック手段を備えた、配線板状部材の主配線基板への取付けに用いられるコネクタ装置として従来提案されているものにあっては、主配線基板に配されるハウジングにおける複数のコンタクトの配列方向の両側部に、一対のロック手段を成す板状部材ロック部が夫々設けられ、それに加えて、一対のロック解除手段を成す可動ロック解除部が夫々設けられる。このようなもとで、一対のロック手段の夫々が板状部材差込み部を通じてハウジングに差し込まれたフレキシブル平板状ケーブルに対する係止状態をとるもとで、各ロック手段によるフレキシブル平板状ケーブルに対する係止状態を解除して、ハウジングに差し込まれたフレキシブル平板状ケーブルをハウジングから抜脱するにあたっては、一対のロック解除手段を成す可動ロック解除部の夫々の一端部にハウジング内に向かう方向の押圧力を加える操作を、フレキシブル平板状ケーブルが、各ロック手段による係止状態から解除され、その後板状部材差込み部を通じてハウジングの外方に向かって移動せしめられて各ロック手段に関わらなくなる位置に到達するまで、所定の時間継続して行わなければならない。
【００１２】
このように、一対のロック解除手段を成す可動ロック解除部の夫々の一端部にハウジング内に向かう方向の押圧力を所定の時間継続的に加える操作は、作業性の良くない煩わしいものとなってしまう。即ち、前述の従来提案されているコネクタ装置においては、一旦ハウジングに差し込まれて一対のロック手段による係止状態がとられたフレキシブル平板状ケーブルのハウジングからの抜脱には、一対のロック解除手段の夫々に対する作業性の良くない煩わしい操作が伴われることになるのである。
【００１３】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジング，ハウジングに配列配置されてハウジングに差し込まれた配線板状部材の接触端子部に接続される複数のコンタクト，ハウジングに差し込まれた配線板状部材に対する係止状態をとるロック手段、及び、ロック手段による配線板状部材に対する係止状態を解除するロック解除手段を備えたコネクタ装置であって、一旦ハウジングに差し込まれてロック手段による係止状態がとられた配線板状部材のハウジングからの抜脱にあたり、ロック解除手段に対する作業性の良くない煩わしい操作が必要とされないものを提供する。
【課題を解決するための手段】
【００１４】
本願の特許請求の範囲における請求項１から請求項１０までのいずれかに記載された発明（以下、本発明という。）に係るコネクタ装置は、板状部材差込み部が設けられたハウジングと、ハウジングに配列配置されて設けられ、板状部材差込み部を通じてハウジングに差し込まれた配線板状部材における複数の接触端子部に接触接続される複数のコンタクトと、ハウジングに設けられ、板状部材差込み部を通じてハウジングに差し込まれた配線板状部材に対する係止状態をとるロック手段とを備えて成り、斯かるもとで、ハウジングが、ロック手段に作用するロック解除手段を成す可動ロック解除部が設けられたものとされ、ロック手段が、ハウジングに固定される固定部と、板状部材差込み部を通じてハウジングに差し込まれた配線板状部材に対する押圧状態をとる弾性押圧部と、弾性押圧部を挟んで固定部に対向する位置に弾性押圧部に向かう方向に弾力付勢されて配された弾性アーム部とを有し、弾性アーム部に、可動ロック解除部が係合する係合受け部と、板状部材差込み部を通じてハウジングに差し込まれた配線板状部材に対する係止を行うロック状態と当該係止を解除するロック解除状態とを選択的にとる板状部材係止部と、弾性押圧部に係合してその弾性変位についての規制を行う規制状態と当該規制を解除する規制解除状態とを選択的にとる変位規制部とが設けられる。そして、板状部材差込み部を通じてハウジングに差し込まれた配線板状部材がロック手段の弾性押圧部に当接してそれを配線板状部材の差込み方向に弾性変位させるとき、ロック手段の弾性アーム部が、板状部材係止部にロック状態をとらせるとともに、変位規制部に規制状態をとらせ、また、可動ロック解除部がロック手段の弾性アーム部における係合受け部に押圧作用を及ぼすとき、弾性アーム部が、板状部材係止部にロック解除状態をとらせるとともに変位規制部に規制解除状態をとらせて、弾性押圧部に、配線板状部材の差込み方向とは逆の方向に弾性変位して配線板状部材を板状部材差込み部の外部に向けて押圧し、かつ、弾性アーム部に板状部材係止部がロック解除状態をとるとともに変位規制部が規制解除状態をとる位置を維持させる動作を行わせる。
【００１５】
特に、本願の特許請求の範囲における請求項２に記載された本発明に係るコネクタ装置にあっては、ロック手段の弾性押圧部が、板状部材差込み部を通じてハウジングに差し込まれた配線板状部材によりその差込み方向に弾性変位せしめられていないとき、ロック手段の弾性アーム部における変位規制部に当接して、弾性アーム部を、板状部材係止部がロック解除状態をとる位置におかれるとともに変位規制部が規制解除状態をとる位置におかれることになる位置に保持する。
【００１６】
上述のような本発明に係るコネクタ装置にあっては、配線板状部材がハウジングにそれに設けられた板状部材差込み部を通じて差し込まれたとき、その差し込まれた配線板状部材がハウジングに固定された固定部を有するロック手段の弾性押圧部に当接して、当該弾性押圧部を配線板状部材の差込み方向に弾性変位させ、それに伴い、ロック手段の弾性アーム部が、板状部材係止部に、板状部材差込み部を通じてハウジングに差し込まれた配線板状部材に対する係止を行うロック状態をとらせるとともに、変位規制部に、弾性押圧部に係合してその弾性変位についての規制を行う規制状態をとらせる。それにより、弾性押圧部が配線板状部材の差込み方向に弾性変位せしめられた状態が変位規制部によって維持されるとともに、板状部材差込み部を通じてハウジングに差し込まれた配線板状部材がロック手段による係止状態のもとにおかれ、当該配線板状部材のハウジングからの不所望な抜脱が阻止される。また、斯かるもとで、ハウジングに配列配置された複数のコンタクトが、板状部材差込み部を通じてハウジングに差し込まれた配線板状部材における複数の接触端子部に接触接続される。
【００１７】
その後、ロック手段がハウジングに差し込まれた配線板状部材に対する係止状態をとるもとで、ハウジングに設けられた可動ロック解除部が、ロック手段の弾性アーム部における係合受け部に押圧作用を及ぼすものとされるとき、それにより、弾性アーム部が、板状部材係止部に配線板状部材に対する係止を解除するロック解除状態をとらせるとともに、変位規制部にロック手段の弾性押圧部の弾性変位についての規制を解除する規制解除状態をとらせて、弾性押圧部に、配線板状部材の差込み方向とは逆の方向に弾性変位して配線板状部材を板状部材差込み部の外部に向けて押圧し、かつ、弾性アーム部に板状部材係止部がロック解除状態をとるとともに変位規制部が規制解除状態をとる位置を維持させる動作を行わせる。その結果、一旦ハウジングに差し込まれてロック手段による係止状態のもとにおかれた配線板状部材が、ハウジングから意図的に抜脱され得るものとされる。
【００１８】
ロック手段の弾性押圧部は、例えば、本願の特許請求の範囲における請求項２に記載された本発明に係るコネクタ装置の場合のように、板状部材差込み部を通じてハウジングに差し込まれた配線板状部材により配線板状部材の差込み方向に弾性変位せしめられていないとき、ロック手段の弾性アーム部における変位規制部に当接して、弾性アーム部を板状部材係止部がロック解除状態をとるとともに変位規制部が規制解除状態をとる位置に保持する。
【発明の効果】
【００１９】
本発明に係るコネクタ装置においては、上述のように、ロック手段がハウジングに差し込まれた配線板状部材に対する係止状態をとるもとで、ハウジングに設けられた可動ロック解除部が、ロック手段の弾性アーム部における係合受け部に押圧作用を及ぼすものとされるとき、弾性アーム部が、板状部材係止部に配線板状部材に対する係止を解除するロック解除状態をとらせるとともに、変位規制部に弾性押圧部の弾性変位についての規制を解除する規制解除状態をとらせるものとされ、それに伴い、弾性押圧部が、配線板状部材の差込み方向とは逆の方向に弾性変位して配線板状部材を板状部材差込み部の外部に向けて押圧し、かつ、弾性アーム部に板状部材係止部がロック解除状態をとるとともに変位規制部が規制解除状態をとる位置を維持させる。
【００２０】
このように、可動ロック解除部が、ロック手段の弾性アーム部における係合受け部に押圧作用を及ぼすものとされるときには、ロック手段の弾性押圧部が、弾性アーム部に板状部材係止部がロック解除状態をとるとともに変位規制部が規制解除状態をとる位置を維持させる。従って、一旦ハウジングに差し込まれてロック手段による係止状態がとられた配線板状部材をハウジングから抜脱させる際には、ハウジングに設けられたロック解除手段を成す可動ロック解除部に、ロック手段の弾性アーム部における係合受け部に押圧作用を及ぼす状態を短時間とらせる操作、例えば、可動ロック解除部が有する押圧部にそれを一時的に押圧する操作を加えるだけで足りる。その結果、一旦ハウジングに差し込まれてロック手段による係止状態がとられた配線板状部材のハウジングからの抜脱にあたり、ロック解除手段に対する作業性の良くない煩わしい操作は必要とされないことになる。
【００２１】
特に、本願の特許請求の範囲における請求項２に記載された本発明に係るコネクタ装置にあっては、ロック手段の弾性押圧部が、板状部材差込み部を通じてハウジングに差し込まれた配線板状部材によりその差込み方向に弾性変位せしめられていないとき、ロック手段の弾性アーム部における変位規制部に当接して、弾性アーム部を、板状部材係止部がロック解除状態をとる位置におかれるとともに変位規制部が規制解除状態をとる位置におかれることになる位置に保持するので、弾性押圧部によりもたらされる弾性アーム部に板状部材係止部がロック解除状態をとるとともに変位規制部が規制解除状態をとる位置を維持させる状態が、より確実に得られる。
【図面の簡単な説明】
【００２２】
【図１】本発明に係るコネクタ装置の第１の例をそれに差込み係合せしめられる配線板状部材を成すフレキシブル印刷配線基板と共に示す斜視図である。
【図２】本発明に係るコネクタ装置の第１の例を示す平面図である。
【図３】本発明に係るコネクタ装置の第１の例を示す正面図である。
【図４】本発明に係るコネクタ装置の第１の例を示す背面図である。
【図５】本発明に係るコネクタ装置の第１の例を示す背面側から見た斜視図である。
【図６】本発明に係るコネクタ装置の第１の例が備えるコンタクトを示す斜視図である。
【図７】本発明に係るコネクタ装置の第１の例が備えるロック手段を示す上方から見た斜視図である。
【図８】本発明に係るコネクタ装置の第１の例が備えるロック手段を示す下方から見た斜視図である。
【図９】図３におけるIX−IX線断面を示す断面図である。
【図１０】図３における X−X 線断面を示す断面図である。
【図１１】図３におけるXI−XI線断面を示す断面図である。
【図１２】本発明に係るコネクタ装置の第１の例に配線板状部材が差込み係合せしめられた状態を示す斜視図である。
【図１３】本発明に係るコネクタ装置の第１の例に配線板状部材が差込み係合せしめられた状態を示す断面図である。
【図１４】本発明に係るコネクタ装置の第１の例に配線板状部材が差込み係合せしめられたもとにおけるロック手段の状態をロック手段単体で示す斜視図である。
【図１５】本発明に係るコネクタ装置の第１の例に差込み係合せしめられた配線板状部材に対するロック手段による係止状態を示す断面図である。
【図１６】本発明に係るコネクタ装置の第１の例に差込み係合せしめられた配線板状部材に対するコンタクトの接触接続状態を示す断面図である。
【図１７】本発明に係るコネクタ装置の第１の例に配線板状部材が差込み係合せしめられたもとでロック解除手段が操作された状態を示す断面図である。
【図１８】本発明に係るコネクタ装置の第１の例に差込み係合せしめられた配線板状部材に対するロック手段による係止状態が解除された状態を示す断面図である。
【図１９】本発明に係るコネクタ装置の第１の例に差込み係合せしめられた配線板状部材に対するロック手段による係止状態が解除された状態を示す断面図である。
【図２０】本発明に係るコネクタ装置の第２の例をそれに差込み係合せしめられる配線板状部材を成すフレキシブル印刷配線基板と共に示す斜視図である。
【図２１】本発明に係るコネクタ装置の第２の例が備えるロック手段を示す上方から見た斜視図である。
【図２２】本発明に係るコネクタ装置の第２の例が備えるロック手段を示す下方から見た斜視図である。
【発明を実施するための形態】
【００２３】
本発明を実施するための形態は、以下に述べられる本発明についての実施例をもって説明される。
【実施例１】
【００２４】
図１は、本発明に係るコネクタ装置の第１の例とそれに差込み係合せしめられる配線板状部材の一例とを示す。また、図２（平面図），図３（正面図），図４（背面図）及び図５（斜視図）は、本発明に係るコネクタ装置の第１の例を示す。
【００２５】
図１〜図５において、本発明に係るコネクタ装置の第１の例を成すコネクタ装置１０は、合成樹脂等の絶縁材料によって形成されたハウジング１１を備えている。ハウジング１１には、その正面側端面部１１ａに板状部材差込み部１２が設けられており、板状部材差込み部１２から伸びる板状部材収容空間がハウジング１１内においてハウジング１１の背面側端面部１１ｂに向かって拡がっている。
【００２６】
ハウジング１１は、実際の使用時には、例えば、図示が省略されている配線基板に配され、それによりコネクタ装置１０の全体が配線基板に固定されたものとされる。その際、ハウジング１１における正面側端面部１１ａとそれに対向する背面側端面部１１ｂとに挟まれた一対の相互対向端面部のうちの一方が配線基板に対接する外面部とされて他方が開放された外面部とされる。以下においては、配線基板に対接するハウジング１１の一対の相互対向端面部のうちの一方を成す部分を底板部１１ｃといい他方を成す部分を天板部１１ｄという。
【００２７】
そして、ハウジング１１の正面側端面部１１ａに設けられた板状部材差込み部１２を通じて、配線板状部材の一例を成すフレキシブル印刷配線基板１３がハウジング１１に差し込まれ、フレキシブル印刷配線基板１３のハウジング１１に対する差込み係合が行われる。フレキシブル印刷配線基板１３は、合成樹脂等の絶縁材料によって形成された平板状基体に回路配線部が形成されて構成されており、一対の相互対向する平面１３ａ及び１３ｂを有していて、それらのうちの平面１３ｂに各々が導電材料によって形成されて回路配線部に連結された複数の接触端子部１４（後述される図１５, １６，１７及び１９に示されている。）が配列配置されている。そして、斯かるフレキシブル印刷配線基板１３における複数の接触端子部１４の配列方向（以下、端子配列方向という。）の両側縁部分に、一対の切欠き部１５Ａ及び１５Ｂが形成されている。
【００２８】
一対の切欠き部１５Ａ及び１５Ｂの夫々は、フレキシブル印刷配線基板１３における、後述されるコネクタ装置１０のロック手段における板状部材係止部が係合する係合部を構成している。なお、フレキシブル印刷配線基板１３にあっては、一対の切欠き部１５Ａ及び１５Ｂに代えて、端子配列方向の両側縁部分に一対の透孔が設けられ、それらがコネクタ装置１０のロック手段における板状部材係止部が係合する係合部を構成するものとされてもよい。
【００２９】
また、コネクタ装置１０は、各々が弾性導電材料で形成されていて、ハウジング１１にその長手方向に沿って配列配置されて設けられた複数のコンタクト１６を備えている。これらの複数のコンタクト１６は、フレキシブル印刷配線基板１３が板状部材差込み部１２を通じてハウジング１１に差し込まれたとき、そのフレキシブル印刷配線基板１３に配列配置された複数の接触端子部１４に夫々接触接続される信号用コンタクトとして設けられているが、他のフレキシブル印刷配線基板における複数の信号接触端子部及び接地接続部に接触接続される信号用及び接地用コンタクトとして用いられても良い。
【００３０】
複数のコンタクト１６の夫々は、図６に示されるように、ハウジング１１に固定される固定部１７と、固定部１７から伸びる可動片持ちビーム部１８と、固定部１７から可動片持ちビーム部１８とは反対側に屈曲して伸びる基板接続部１９とを有している。固定部１７は、ハウジング１１における板状部材収容空間に臨むコンタクト収容溝２０を形成する部分に圧入されて、ハウジング１１に対して固定される。可動片持ちビーム部１８は、その自由端部がそれに対して後述されるロック解除手段が係合する係合受け部１８ａとされており、また、その係合受け部１８ａと固定部１７との間の部分にフレキシブル印刷配線基板１３に設けられた接触端子部１４に当接する接触突起部１８ｂが形成されたものとされている。基板接続部１９は、ハウジング１１の正面側端面部１１ａからハウジング１１外に突出して、ハウジング１１が配された配線基板に設けられた配線端子に、例えば、半田付けにより接続される。
【００３１】
さらに、コネクタ装置１０は、ハウジング１１における長手方向、即ち、複数のコンタクト１６の配列方向（以下、コンタクト配列方向という。) の両端部に夫々設けられて、板状部材差込み部１２を通じてハウジング１１に差し込まれたフレキシブル印刷配線基板１３に対する係止状態をとる一対のロック手段２１Ａ及び２１Ｂを備えている。一対のロック手段２１Ａ及び２１Ｂの夫々は、ハウジング１１におけるコンタクト配列方向の端部において、ハウジング１１内に収容されたものとして配されている。
【００３２】
図７及び図８は、ロック手段２１Ａを単体にて示す。図７及び図８に示されるロック手段２１Ａは、例えば、弾性金属板材に打抜き屈曲加工が施されて形成され、ハウジング１１に固定される固定部２２Ａと、板状部材差込み部１２を通じてハウジング１１に差し込まれたフレキシブル印刷配線基板１３に対する押圧状態をとる弾性押圧部２３Ａと、弾性押圧部２３Ａを挟んで固定部２２Ａに対向する位置に弾性押圧部２３Ａに向かう方向に弾力付勢されて配された弾性アーム部２４Ａと、固定部２２Ａから伸びてハウジング１１が配される配線基板に連結される基板連結部２５Ａとが一体形成されて構成されている。
【００３３】
ロック手段２１Ａの固定部２２Ａは、ハウジング１１における底板部１１ｃに圧入されることによりハウジング１１に固定され、それにより、ロック手段２１Ａの全体がハウジング１１に対して位置決めされる。
【００３４】
ロック手段２１Ａの弾性押圧部２３Ａは、固定部２２Ａに連結された屈曲ばね部を成しており、フレキシブル印刷配線基板１３が板状部材差込み部１２を通じてハウジング１１に差し込まれたとき、そのフレキシブル印刷配線基板１３が、弾性押圧部２３Ａに当接してそれを押圧し、弾性押圧部２３Ａをフレキシブル印刷配線基板１３のハウジング１１への差込み方向に弾性変位させる。フレキシブル印刷配線基板１３によりそのハウジング１１への差込み方向に弾性変位せしめられた弾性押圧部２３Ａは、当該フレキシブル印刷配線基板１３にそのハウジング１１への差込み方向とは逆方向の弾性押圧力を作用させ、該フレキシブル印刷配線基板１３を移動させ得るときには、フレキシブル印刷配線基板１３を伴って、そのハウジング１１への差込み方向とは逆方向に弾性変位する。
【００３５】
ロック手段２１Ａの弾性アーム部２４Ａは、折返し端部を介して固定部２２Ａに連結された片持ち構成を成すものとされている。そして、弾性アーム部２４Ａには、その折返し端部に、後述されるロック解除手段を成す可動ロック解除部が係合する係合受け部２６Ａが設けられ、また、その自由端部に、板状部材差込み部１２を通じてハウジング１１に差し込まれたフレキシブル印刷配線基板１３における切欠き部１５Ａに係合して当該フレキシブル印刷配線基板１３に対する係止を行うロック状態と当該係止を解除するロック解除状態とを選択的にとる板状部材係止部２７Ａが係合突起を成すものとして設けられ、さらに、係合受け部２６Ａと板状部材係止部２７Ａとの間の位置に、弾性押圧部２３Ａに係合してその弾性変位についての規制を行う規制状態と当該規制を解除する規制解除状態とを選択的にとる一対の変位規制部２８Ａが設けられている。
【００３６】
また、ロック手段２１Ｂも、ロック手段２１Ａと同様に、例えば、弾性金属板材に打抜き屈曲加工が施されて形成され、ハウジング１１に固定される固定部２２Ｂと、板状部材差込み部１２を通じてハウジング１１に差し込まれたフレキシブル印刷配線基板１３に対する押圧状態をとる弾性押圧部２３Ｂと、弾性押圧部２３Ｂを挟んで固定部２２Ｂに対向する位置に弾性押圧部２２Ｂに向かう方向に弾力付勢されて配された弾性アーム部２４Ｂと、固定部２２Ｂから伸びてハウジング１１が配される配線基板に連結される基板連結部２５Ｂとが一体形成されて構成されている。
【００３７】
ロック手段２１Ｂの固定部２２Ｂは、ハウジング１１における底板部１１ｃに圧入されることによりハウジング１１に固定され、それにより、ロック手段２１Ｂの全体がハウジング１１に対して位置決めされる。
【００３８】
ロック手段２１Ｂの弾性押圧部２３Ｂは、固定部２２Ｂに連結された屈曲ばね部を成しており、フレキシブル印刷配線基板１３が板状部材差込み部１２を通じてハウジング１１に差し込まれたとき、そのフレキシブル印刷配線基板１３が、弾性押圧部２３Ｂに当接してそれを押圧し、弾性押圧部２３Ｂをフレキシブル印刷配線基板１３のハウジング１１への差込み方向に弾性変位させる。フレキシブル印刷配線基板１３によりそのハウジング１１への差込み方向に弾性変位せしめられた弾性押圧部２３Ｂは、当該フレキシブル印刷配線基板１３にそのハウジング１１への差込み方向とは逆方向の弾性押圧力を作用させ、該フレキシブル印刷配線基板１３を移動させ得るときには、フレキシブル印刷配線基板１３を伴って、そのハウジング１１への差込み方向とは逆方向に弾性変位する。
【００３９】
ロック手段２１Ｂの弾性アーム部２４Ｂは、折返し端部を介して固定部２２Ｂに連結された片持ち構成を成すものとされている。そして、弾性アーム部２４Ｂには、その折返し端部に、後述されるロック解除手段を成す可動ロック解除部が係合する係合受け部２６Ｂが設けられ、また、その自由端部に、板状部材差込み部１２を通じてハウジング１１に差し込まれたフレキシブル印刷配線基板１３における切欠き部１５Ｂに係合して当該フレキシブル印刷配線基板１３に対する係止を行うロック状態と当該係止を解除するロック解除状態とを選択的にとる板状部材係止部２７Ｂが係合突起を成すものとして設けられ、さらに、係合受け部２６Ｂと板状部材係止部２７Ｂとの間の位置に、弾性押圧部２３Ｂに係合してその弾性変位についての規制を行う規制状態と当該規制を解除する規制解除状態とを選択的にとる一対の変位規制部２８Ｂが設けられている。
【００４０】
図１〜図５に示されるように、コネクタ装置１０のハウジング１１には、ロック手段２１Ａ及び２１Ｂの夫々に作用するロック解除手段を成す可動ロック解除部３０が設けられている。可動ロック解除部３０は、ハウジング１１におけるコンタクト配列方向の両端部に夫々設けられて、各々の固定端部がハウジング１１の天板部１１ｄに連結された一対の可動アーム部３１Ａ及び３１Ｂと、一対の可動アーム部３１Ａ及び３１Ｂの夫々の可動端部によって支持されてコンタクト配列方向に伸び、ロック手段２１Ａにおける弾性アーム部２４Ａの係合受け部２６Ａ，ロック手段２１Ｂにおける弾性アーム部２４Ｂの係合受け部２６Ｂ、及び、複数のコンタクト１６の夫々における係合受け部１８ａに押圧作用を及ぼす状態をとる押圧部３２とを有している。
【００４１】
可動ロック解除部３０の可動アーム部３１Ａは、各々の一端部がハウジング１１の天板部１１ｄに連結されるとともに、各々の他端部が押圧部３２の端部３３Ａに連結された一対の平行ビーム部３４Ａによって構成されている。これら一対の平行ビーム部３４Ａの夫々の一端部が可動アーム部３１Ａの固定端部を成し、また、一対の平行ビーム部３４Ａの夫々の他端部が可動アーム部３１Ａの可動端部を成している。また、可動ロック解除部３０の可動アーム部３１Ｂは、各々の一端部がハウジング１１の天板部１１ｄに連結されるとともに、各々の他端部が押圧部３２の端部３３Ｂに連結された一対の平行ビーム部３４Ｂによって構成されている。これら一対の平行ビーム部３４Ｂの夫々の一端部が可動アーム部３１Ｂの固定端部を成し、また、一対の平行ビーム部３４Ｂの夫々の他端部が可動アーム部３１Ｂの可動端部を成している。
【００４２】
可動ロック解除部３０の押圧部３２は、可動アーム部３１Ａの可動端部に連結された端部３３Ａ及び可動アーム部３１Ｂの可動端部に連結された端部３３Ｂに加えて、端部３３Ａと端部３３Ｂとの間の部分である中間部３３Ｃを有している。そして、端部３３Ａが、ロック手段２１Ａにおける弾性アーム部２４Ａの係合受け部２６Ａに押圧作用を及ぼす弾性アーム押圧部分を成し、端部３３Ｂが、ロック手段２１Ｂにおける弾性アーム部２４Ｂの係合受け部２６Ｂに押圧作用を及ぼす弾性アーム押圧部分を成し、さらに、中間部３３Ｃが、複数のコンタクト１６の夫々における係合受け部１８ａに押圧作用を及ぼすコンタクト押圧部分を成している。
【００４３】
図３におけるIX−IX線断面を示す図９及び図３における X−X 線断面を示す図１０に示されるように、ハウジング１１内において、固定部２２Ｂがハウジング１１の底板部１１ｃに固定されたロック手段２１Ｂは、弾性押圧部２３Ｂが板状部材差込み部１２を通じてハウジング１１に差し込まれたフレキシブル印刷配線基板１３によりフレキシブル印刷配線基板１３のハウジング１１への差込み方向に弾性変位せしめられていないときには、弾性押圧部２３Ｂにおける弾性アーム部２４Ｂ側の端面部が弾性アーム部２４Ｂに設けられた変位規制部２８Ｂに当接して、弾性アーム部２４Ｂを、それに設けられた板状部材係止部２７Ｂがロック解除状態をとる位置におかれるとともに変位規制部２８Ｂが規制解除状態をとる位置におかれることになる位置に保持する。斯かる際、弾性アーム部２４Ｂに設けられた板状部材係止部２７Ｂが、ハウジング１１内において拡がる板状部材収容空間内に配されて、弾性アーム部２４Ｂからハウジング１１の底板部１１ｃに向かって突出するものとされる。また、このとき、弾性アーム部２４Ｂに設けられた係合受け部２６Ｂが、可動ロック解除部３０の押圧部３２における弾性アーム押圧部分を成す端部３３Ｂに近接もしくは当接した位置に配される。
【００４４】
同様に、固定部２２Ａがハウジング１１の底板部１１ｃに固定されたロック手段２１Ａも、弾性押圧部２３Ａが板状部材差込み部１２を通じてハウジング１１に差し込まれたフレキシブル印刷配線基板１３によりフレキシブル印刷配線基板１３のハウジング１１への差込み方向に弾性変位せしめられていないときには、弾性押圧部２３Ａにおける弾性アーム部２４Ａ側の端面部が弾性アーム部２４Ａに設けられた変位規制部２８Ａに当接して、弾性アーム部２４Ａを、それに設けられた板状部材係止部２７Ａがロック解除状態をとる位置におかれるとともに変位規制部２８Ａが規制解除状態をとる位置におかれることになる位置に保持する。斯かる際、弾性アーム部２４Ａに設けられた板状部材係止部２７Ａが、ハウジング１１内において拡がる板状部材収容空間内に配されて、弾性アーム部２４Ａからハウジング１１の底板部１１ｃに向かって突出するものとされる。また、このとき、弾性アーム部２４Ａに設けられた係合受け部２６Ａが、可動ロック解除部３０の押圧部３２における弾性アーム押圧部分を成す端部３３Ａに近接もしくは当接した位置に配される。
【００４５】
さらに、図１０及び図３におけるXI−XI線断面を示す図１１に示されるように、ハウジング１１に配列配置された複数のコンタクト１６の夫々は、固定部１７がハウジング１１におけるコンタクト収容溝２０を形成する部分に圧入されてコンタクト収容溝２０に収容されたもとで、可動片持ちビーム部１８に形成された接触突起部１８ｂが、ハウジング１１内において拡がる板状部材収容空間内へと突出するとともに、可動片持ちビーム部１８の自由端部が成す係合受け部１８ａが、ハウジング１１の背面側端面部１１ｂからその外方に突出して、可動ロック解除部３０の押圧部３２におけるコンタクト押圧部分を成す中間部３３Ｃに当接もしくは近接した位置に配される。また、基板接続部１９が、ハウジング１１の正面側端面部１１ａからハウジング１１外に突出して、ハウジング１１が配された配線基板に設けられた配線端子に、例えば、半田付けにより接続される。
【００４６】
斯かるもとで、図１に示されるフレキシブル印刷配線基板１３が、図１２に示されるように、コネクタ装置１０のハウジング１１に板状部材差込み部１２を通じて差し込まれる。その際、フレキシブル印刷配線基板１３は、その端子配列方向がコネクタ装置１０におけるコンタクト配列方向と平行になるようにされ、また、複数の接触端子部１４が配列配置された平面１３ｂをハウジング１１における底板部１１ｃの内面に対面させる状態をもって、板状部材差込み部１２を通じてハウジング１１に差し込まれる。
【００４７】
フレキシブル印刷配線基板１３がコネクタ装置１０のハウジング１１に板状部材差込み部１２を通じて差し込まれたときには、フレキシブル印刷配線基板１３における差込み方向の先端部分が、ハウジング１１内において拡がる板状部材収容空間をハウジング１１の背面側端面部１１ｂに向かって進む。そして、フレキシブル印刷配線基板１３における差込み方向の先端部分が板状部材収容空間内の予め定められた所定の位置に達して、フレキシブル印刷配線基板１３のハウジング１１への差込みが完了すると、図１３に示されるように、フレキシブル印刷配線基板１３における差込み方向の先端部分が、ロック手段２１Ａの弾性押圧部２３Ａ及びロック手段２１Ｂの弾性押圧部２３Ｂに当接して、弾性押圧部２３Ａ及び弾性押圧部２３Ｂの夫々をフレキシブル印刷配線基板１３のハウジング１１への差込み方向に弾性変位させる。フレキシブル印刷配線基板１３における差込み方向の先端部分によりフレキシブル印刷配線基板１３のハウジング１１への差込み方向に弾性変位せしめられた弾性押圧部２３Ａ及び弾性押圧部２３Ｂの夫々は、フレキシブル印刷配線基板１３にそのハウジング１１への差込み方向とは逆方向の弾性押圧力を作用させる。
【００４８】
それとともに、図１４に示されるように、ロック手段２１Ａの弾性押圧部２３Ａにおける弾性アーム部２４Ａ側の端面部が、ロック手段２１Ａの弾性アーム部２４Ａに設けられた変位規制部２８Ａに当接した状態から変位規制部２８Ａには当接しない状態に移行し、それにより、弾性アーム部２４Ａがその弾力付勢によってロック手段２１Ａの固定部２２Ａに向かう方向に変位して、弾性アーム部２４Ａに設けられた変位規制部２８Ａが、弾性押圧部２３Ａに係合してその弾性変位についての規制を行う規制状態をとる。同様に、ロック手段２１Ｂの弾性押圧部２３Ｂにおける弾性アーム部２４Ｂ側の端面部が、ロック手段２１Ｂの弾性アーム部２４Ｂに設けられた変位規制部２８Ｂに当接した状態から変位規制部２８Ｂには当接しない状態に移行し、それにより、弾性アーム部２４Ｂがその弾力付勢によってロック手段２１Ｂの固定部２２Ｂに向かう方向に変位して、弾性アーム部２４Ｂに設けられた変位規制部２８Ｂが、弾性押圧部２３Ｂに係合してその弾性変位についての規制を行う規制状態をとる。
【００４９】
上述のように、ロック手段２１Ｂの弾性アーム部２４Ｂがその弾力付勢によってロック手段２１Ｂの固定部２２Ｂに向かう方向に変位することにより、図１５に示されるように、弾性アーム部２４Ｂに設けられた板状部材係止部２７Ｂが、ハウジング１１に差し込まれたフレキシブル印刷配線基板１３における切欠き部１５Ｂに係合してフレキシブル印刷配線基板１３に対する係止を行うロック状態をとる。同様に、ロック手段２１Ａの弾性アーム部２４Ａがその弾力付勢によってロック手段２１Ａの固定部２２Ａに向かう方向に変位することにより、弾性アーム部２４Ａに設けられた板状部材係止部２７Ａが、ハウジング１１に差し込まれたフレキシブル印刷配線基板１３における切欠き部１５Ａに係合してフレキシブル印刷配線基板１３に対する係止を行うロック状態をとる。
【００５０】
このようにして、ロック手段２１Ａの弾性アーム部２４Ａに設けられた板状部材係止部２７Ａ及びロック手段２１Ｂの弾性アーム部２４Ｂに設けられた板状部材係止部２７Ｂの夫々がフレキシブル印刷配線基板１３に対する係止を行うロック状態をとることにより、板状部材差込み部１２を通じてハウジング１１に差し込まれたフレキシブル印刷配線基板１３が、ロック手段２１Ａ及び２１Ｂによる係止状態のもとにおかれ、ハウジング１１からの不所望な抜脱が阻止されるものとされる。
【００５１】
また、このとき、図１６に示されるように、ハウジング１１に配列配置され、各々がハウジング１１が配された配線基板に設けられた配線端子に接続された基板接続部１９を有する、複数のコンタクト１６の夫々の可動片持ちビーム部１８に形成された接触突起部１８ｂが、ハウジング１１に差し込まれたフレキシブル印刷配線基板１３の平面１３ｂに配列配置された複数の接触端子部１４のうちの対応するものに弾性当接して接触接続される。それにより、板状部材差込み部１２を通じてハウジング１１に差し込まれたフレキシブル印刷配線基板１３の平面１３ｂに配列配置された複数の接触端子部１４が、複数のコンタクト１６を介して、ハウジング１１が配された配線基板に設けられた配線端子に電気的に接続される。
【００５２】
その後、ロック手段２１Ａ及び２１Ｂが板状部材差込み部１２を通じてハウジング１１に差し込まれたフレキシブル印刷配線基板１３に対する係止状態をとるもとで、ハウジング１１に設けられた可動ロック解除部３０が、例えば、その押圧部３２に手動による押圧操作が加えられて、押圧部３２がハウジング１１が配された配線基板に向かう方向に押されると、それにより、図１７に示されるように、押圧部３２における弾性アーム押圧部分を成す端部３３Ｂが、ロック手段２１Ｂの弾性アーム部２４Ｂにおける係合受け部２６Ｂに当接してその係合受け部２６Ｂに押圧作用を及ぼし、また、同様に、押圧部３２における弾性アーム押圧部分を成す端部３３Ａが、ロック手段２１Ａの弾性アーム部２４Ａにおける係合受け部２６Ａに当接してその係合受け部２６Ａに押圧作用を及ぼす。
【００５３】
このようにして、可動ロック解除部３０が、その押圧部３２における弾性アーム押圧部分を成す端部３３Ｂをもって、ロック手段２１Ｂの弾性アーム部２４Ｂにおける係合受け部２６Ｂに押圧作用を及ぼすときには、それにより、図１７に示されるように、ロック手段２１Ｂの弾性アーム部２４Ｂが、固定部２２Ｂから離隔する方向に変位する。そして、固定部２２Ｂから離隔する方向に変位したロック手段２１Ｂの弾性アーム部２４Ｂは、図１７に示されるように、それに設けられた板状部材係止部２７Ｂに、フレキシブル印刷配線基板１３における切欠き部１５Ｂとの係合を解除して、フレキシブル印刷配線基板１３に対する係止を解除するロック解除状態をとらせるとともに、それに設けられた変位規制部２８Ｂに、ロック手段２１Ｂの弾性押圧部２３Ｂの弾性変位についての規制を解除する規制解除状態をとらせて、図１８に示されるように、ロック手段２１Ｂの弾性押圧部２３Ｂに、フレキシブル印刷配線基板１３のハウジング１１への差込み方向とは逆の方向に弾性変位してフレキシブル印刷配線基板１３を板状部材差込み部１２の外部に向けて押圧する動作を行わせ、さらに、弾性押圧部２３Ｂに、それにおける弾性アーム部２４Ｂ側の端面部を弾性アーム部２４Ｂに設けられた変位規制部２８Ｂに当接させて、弾性アーム部２４Ｂを、板状部材係止部２７Ｂがロック解除状態をとるとともに変位規制部２８Ｂが規制解除状態をとる位置に維持する動作を行わせる。それにより、板状部材差込み部１２を通じてハウジング１１に差し込まれたフレキシブル印刷配線基板１３に対するロック手段２１Ｂによる係止状態の解除がなされるとともに、その係止状態の解除が維持されることになる。
【００５４】
また、可動ロック解除部３０が、その押圧部３２における弾性アーム押圧部分を成す端部３３Ａをもって、ロック手段２１Ａの弾性アーム部２４Ａにおける係合受け部２６Ａに押圧作用を及ぼすときには、それにより、ロック手段２１Ａの弾性アーム部２４Ａが、固定部２２Ａから離隔する方向に変位する。そして、固定部２２Ａから離隔する方向に変位したロック手段２１Ａの弾性アーム部２４Ａは、それに設けられた板状部材係止部２７Ａに、フレキシブル印刷配線基板１３における切欠き部１５Ａとの係合を解除して、フレキシブル印刷配線基板１３に対する係止を解除するロック解除状態をとらせるとともに、それに設けられた変位規制部２８Ａに、ロック手段２１Ａの弾性押圧部２３Ａの弾性変位についての規制を解除する規制解除状態をとらせて、ロック手段２１Ａの弾性押圧部２３Ａに、フレキシブル印刷配線基板１３のハウジング１１への差込み方向とは逆の方向に弾性変位してフレキシブル印刷配線基板１３を板状部材差込み部１２の外部に向けて押圧する動作を行わせ、さらに、弾性押圧部２３Ａに、それにおける弾性アーム部２４Ａ側の端面部を弾性アーム部２４Ａに設けられた変位規制部２８Ａに当接させて、弾性アーム部２４Ａを、板状部材係止部２７Ａがロック解除状態をとるとともに変位規制部２８Ａが規制解除状態をとる位置に維持する動作を行わせる。それにより、板状部材差込み部１２を通じてハウジング１１に差し込まれたフレキシブル印刷配線基板１３に対するロック手段２１Ａによる係止状態の解除がなされるとともに、その係止状態の解除が維持されることになる。
【００５５】
さらに、ハウジング１１に配列配置された複数のコンタクト１６の夫々の可動片持ちビーム部１８に形成された接触突起部１８ｂが、ハウジング１１に差し込まれたフレキシブル印刷配線基板１３の平面１３ｂに配列配置された複数の接触端子部１４のうちの対応するものに弾性当接したもとで、ハウジング１１に設けられた可動ロック解除部３０が、例えば、その押圧部３２に手動による押圧操作が加えられて、押圧部３２がハウジング１１が配された配線基板に向かう方向に押されたときには、それにより、図１９に示されるように、押圧部３２におけるコンタクト押圧部分を成す中間部３３Ｃが、複数のコンタクト１６の夫々における係合受け部１８ａに当接してその係合受け部１８ａに押圧作用を及ぼす。
【００５６】
可動ロック解除部３０が、その押圧部３２におけるコンタクト押圧部分を成す中間部３３Ｃをもって、複数のコンタクト１６の夫々における係合受け部１８ａに押圧作用を及ぼすときには、それにより、複数のコンタクト１６の夫々における可動片持ちビーム部１８が、それに形成された接触突起部１８ｂをそれに対応するフレキシブル印刷配線基板１３の平面１３ｂに配列配置された接触端子部１４から離隔させる方向に弾性変位する。それにより、各々がフレキシブル印刷配線基板１３の平面１３ｂに配列配置された接触端子部１４に弾性当接して接触接続された複数のコンタクト１６が、押圧部３２におけるコンタクト押圧部分を成す中間部３３Ｃによる押圧作用を受けることにより、複数の接触端子部１４に対する弾性当接を解除することになる。
【００５７】
上述のようにして、可動ロック解除部３０が、例えば、その押圧部３２に手動による押圧操作が加えられるものとされて、板状部材差込み部１２を通じてハウジング１１に差し込まれたフレキシブル印刷配線基板１３に対するロック手段２１Ａ及び２１Ｂによる係止状態の解除がなされるとともにその係止状態の解除が維持され、さらに、ハウジング１１に配列配置された複数のコンタクト１６のフレキシブル印刷配線基板１３に設けられた複数の接触端子部１４に対する弾性当接が解除されることにより、一旦ハウジング１１に差し込まれてロック手段２１Ａ及び２１Ｂによる係止状態のもとにおかれたフレキシブル印刷配線基板１３が、ハウジング１１から意図的に抜脱され得るものとされる。
【００５８】
上述のコネクタ装置１０においては、ロック手段２１Ａ及び２１Ｂがハウジング１１に差し込まれたフレキシブル印刷配線基板１３に対する係止状態をとるもとで、ハウジング１１に設けられたロック解除手段を成す可動ロック解除部３０が、ロック手段２１Ａの弾性アーム部２４Ａにおける係合受け部２６Ａ及びロック手段２１Ｂの弾性アーム部２４Ｂにおける係合受け部２６Ｂの夫々に押圧作用を及ぼすものとされるとき、弾性アーム部２４Ａが、板状部材係止部２７Ａにフレキシブル印刷配線基板１３に対する係止を解除するロック解除状態をとらせ、また、弾性アーム部２４Ｂが、板状部材係止部２７Ｂにフレキシブル印刷配線基板１３に対する係止を解除するロック解除状態をとらせる。さらに、弾性アーム部２４Ａが、変位規制部２８Ａにロック手段２１Ａの弾性押圧部２３Ａの弾性変位についての規制を解除する規制解除状態をとらせるものとされ、それに伴い、弾性押圧部２３Ａが、フレキシブル印刷配線基板１３のハウジング１１への差込み方向とは逆の方向に弾性変位してフレキシブル印刷配線基板１３をハウジング１１に設けられた板状部材差込み部１２の外部に向けて押圧し、かつ、弾性アーム部２４Ａに板状部材係止部２７Ａがロック解除状態をとるとともに変位規制部２８Ａが規制解除状態をとる位置を維持させ、また、弾性アーム部２４Ｂが、変位規制部２８Ｂにロック手段２１Ｂの弾性押圧部２３Ｂの弾性変位についての規制を解除する規制解除状態をとらせるものとされ、それに伴い、弾性押圧部２３Ｂが、フレキシブル印刷配線基板１３のハウジング１１への差込み方向とは逆の方向に弾性変位してフレキシブル印刷配線基板１３をハウジング１１に設けられた板状部材差込み部１２の外部に向けて押圧し、かつ、弾性アーム部２４Ｂに板状部材係止部２７Ｂがロック解除状態をとるとともに変位規制部２８Ｂが規制解除状態をとる位置を維持させる。
【００５９】
このように、可動ロック解除部３０が、ロック手段２１Ａの弾性アーム部２４Ａにおける係合受け部２６Ａ及びロック手段２１Ｂの弾性アーム部２４Ｂにおける係合受け部２６Ｂの夫々に押圧作用を及ぼすものとされるときには、ロック手段２１Ａの弾性押圧部２３Ａが、弾性アーム部２４Ａに板状部材係止部２７Ａがロック解除状態をとるとともに変位規制部２８Ａが規制解除状態をとる位置を維持させ、また、ロック手段２１Ｂの弾性押圧部２３Ｂが、弾性アーム部２４Ｂに板状部材係止部２７Ｂがロック解除状態をとるとともに変位規制部２８Ｂが規制解除状態をとる位置を維持させる。従って、一旦ハウジング１１に差し込まれてロック手段２１Ａ及び２１Ｂによる係止状態がとられたフレキシブル印刷配線基板１３をハウジング１１から抜脱させる際には、ハウジング１１に設けられたロック解除手段を成す可動ロック解除部３０に、ロック手段２１Ａの弾性アーム部２４Ａにおける係合受け部２６Ａ及びロック手段２１Ｂの弾性アーム部２４Ｂにおける係合受け部２６Ｂの夫々に押圧作用を及ぼす状態を短時間とらせる操作、例えば、可動ロック解除部３０が有する押圧部３２にそれを一時的に押圧する操作を加えるだけで足りる。その結果、一旦ハウジング１１に差し込まれてロック手段２１Ａ及び２１Ｂによる係止状態がとられたフレキシブル印刷配線基板１３のハウジング１１からの抜脱にあたり、ロック解除手段に対する作業性の良くない煩わしい操作は必要とされないことになる。
【００６０】
それに加えて、コネクタ装置１０にあっては、ロック手段２１Ａの弾性押圧部２３Ａが、板状部材差込み部１２を通じてハウジング１１に差し込まれたフレキシブル印刷配線基板１３における差込み方向の先端部分によりフレキシブル印刷配線基板１３のハウジング１１への差込み方向に弾性変位せしめられていないとき、ロック手段２１Ａの弾性アーム部２４Ａにおける変位規制部２８Ａに当接して、弾性アーム部２４Ａを、板状部材係止部２７Ａがロック解除状態をとる位置におかれるとともに変位規制部２８Ａが規制解除状態をとる位置におかれることになる位置に保持し、また、ロック手段２１Ｂの弾性押圧部２３Ｂが、板状部材差込み部１２を通じてハウジング１１に差し込まれたフレキシブル印刷配線基板１３における差込み方向の先端部分によりフレキシブル印刷配線基板１３のハウジング１１への差込み方向に弾性変位せしめられていないとき、ロック手段２１Ｂの弾性アーム部２４Ｂにおける変位規制部２８Ｂに当接して、弾性アーム部２４Ｂを、板状部材係止部２７Ｂがロック解除状態をとる位置におかれるとともに変位規制部２８Ｂが規制解除状態をとる位置におかれることになる位置に保持するので、弾性押圧部２３Ａによりもたらされる弾性アーム部２４Ａに板状部材係止部２７Ａがロック解除状態をとるとともに変位規制部２８Ａが規制解除状態をとる位置を維持させる状態、及び、弾性押圧部２３Ｂによりもたらされる弾性アーム部２４Ｂに板状部材係止部２７Ｂがロック解除状態をとるとともに変位規制部２８Ｂが規制解除状態をとる位置を維持させる状態が、より確実に得られる。
【実施例２】
【００６１】
図２０は、本発明に係るコネクタ装置の第２の例とそれに差込み係合せしめられる配線板状部材の一例とを示す。
【００６２】
図２０において、本発明に係るコネクタ装置の第２の例を成すコネクタ装置４０は、合成樹脂等の絶縁材料によって形成されたハウジング４１を備えている。ハウジング４１には、その正面側端面部４１ａに板状部材差込み部４２が設けられており、板状部材差込み部４２から伸びる板状部材収容空間がハウジング４１内においてハウジング４１の正面側端面部４１ａに対向する背面側端面部に向かって拡がっている。
【００６３】
ハウジング４１は、実際の使用時には、例えば、図示が省略されている配線基板に配され、それによりコネクタ装置４０の全体が配線基板に固定されたものとされる。その際、ハウジング４１における正面側端面部４１ａとそれに対向する背面側端面部とに挟まれた一対の相互対向端面部のうちの一方が配線基板に対接する外面部とされて他方が開放された外面部とされる。以下においては、配線基板に対接するハウジング４１の一対の相互対向端面部のうちの一方を成す部分を底板部４１ｃといい他方を成す部分を天板部４１ｄという。
【００６４】
そして、ハウジング４１の正面側端面部４１ａに設けられた板状部材差込み部４２を通じて、配線板状部材の一例を成すフレキシブル印刷配線基板４３がハウジング４１に差し込まれ、フレキシブル印刷配線基板４３のハウジング４１に対する差込み係合が行われる。フレキシブル印刷配線基板４３は、合成樹脂等の絶縁材料によって形成された平板状基体に回路配線部が形成されて構成されており、一対の相互対向する平面４３ａ及び４３ｂを有していて、それらのうちの平面４３ｂに各々が導電材料によって形成されて回路配線部に連結された複数の接触端子部が配列配置されている。そして、斯かるフレキシブル印刷配線基板４３における複数の接触端子部の配列方向（以下、端子配列方向という。）の中央部分に、透孔４５が形成されている。この透孔４５は、フレキシブル印刷配線基板４３における、後述されるコネクタ装置４０のロック手段における板状部材係止部が係合する係合部を構成している。フレキシブル印刷配線基板４３における端子配列方向の中央部分は、フレキシブル印刷配線基板４３における端子配列方向の両側端部に挟まれた部分であって、厳密な意味での中央とその周辺とを含んでいる。
【００６５】
また、コネクタ装置４０は、各々が弾性導電材料で形成されていて、ハウジング４１にその長手方向に沿って配列配置されて設けられた複数のコンタクト４６を備えている。これらの複数のコンタクト４６は、フレキシブル印刷配線基板４３が板状部材差込み部４２を通じてハウジング４１に差し込まれたとき、そのフレキシブル印刷配線基板４３に配列配置された複数の接触端子部に夫々接触接続される信号用コンタクトとして設けられているが、他のフレキシブル印刷配線基板における複数の信号接触端子部及び接地接続部に接触接続される信号用及び接地用コンタクトとして用いられても良い。
【００６６】
複数のコンタクト４６の夫々は、前述のコネクタ装置１０に備えられたコンタクト１６と同様に構成されていて、ハウジング１１に固定される固定部と、固定部から伸びて後述されるロック解除手段が係合する係合受け部とフレキシブル印刷配線基板４３に設けられた接触端子部に当接する接触突起部とを有した可動片持ちビーム部と、固定部から可動片持ちビーム部とは反対側に屈曲して伸びる基板接続部とを有しており、コンタクト１６と同様の役割を果たす。
【００６７】
さらに、コネクタ装置４０は、ハウジング４１における長手方向、即ち、複数のコンタクト４６の配列方向（以下、コンタクト配列方向という。) の中央部分に設けられて、板状部材差込み部４２を通じてハウジング４１に差し込まれたフレキシブル印刷配線基板４３に対する係止状態をとるロック手段５１を備えている。このロック手段５１は、ハウジング４１におけるコンタクト配列方向の中央部分において、ハウジング４１内に収容されたものとして配されている。ハウジング４１におけるコンタクト配列方向の中央部分は、ハウジング４１におけるコンタクト配列方向の両端部に挟まれた部分であって、厳密な意味での中央とその周辺とを含んでいる。
【００６８】
図２１及び図２２は、ロック手段５１を単体にて示す。図２１及び図２２に示されるロック手段５１は、例えば、弾性金属板材に打抜き屈曲加工が施されて形成され、ハウジング４１に固定される固定部５２と、板状部材差込み部４２を通じてハウジング４１に差し込まれたフレキシブル印刷配線基板４３に対する押圧状態をとる弾性押圧部５３と、弾性押圧部５３を挟んで固定部５２に対向する位置に弾性押圧部５３に向かう方向に弾力付勢されて配された弾性アーム部５４と、固定部５２から伸びてハウジング４１が配される配線基板に連結される基板連結部５５とが一体形成されて構成されている。
【００６９】
ロック手段５１の固定部５２は、ハウジング４１における底板部４１ｃに圧入されることによりハウジング４１に固定され、それにより、ロック手段５１の全体がハウジング４１に対して位置決めされる。
【００７０】
ロック手段５１の弾性押圧部５３は、固定部５２に連結された屈曲ばね部を成しており、フレキシブル印刷配線基板４３が板状部材差込み部４２を通じてハウジング４１に差し込まれたとき、そのフレキシブル印刷配線基板４３が、弾性押圧部５３に当接してそれを押圧し、弾性押圧部５３をフレキシブル印刷配線基板４３のハウジング４１への差込み方向に弾性変位させる。フレキシブル印刷配線基板４３によりそのハウジング４１への差込み方向に弾性変位せしめられた弾性押圧部５３は、当該フレキシブル印刷配線基板４３にそのハウジング４１への差込み方向とは逆方向の弾性押圧力を作用させ、該フレキシブル印刷配線基板４３を移動させ得るときには、フレキシブル印刷配線基板４３を伴って、そのハウジング４１への差込み方向とは逆方向に弾性変位する。
【００７１】
ロック手段５１の弾性アーム部５４は、折返し端部を介して固定部５２に連結された片持ち構成を成すものとされている。そして、弾性アーム部５４には、その折返し端部に、後述されるロック解除手段を成す可動ロック解除部が係合する係合受け部５６が設けられ、また、その自由端部に、板状部材差込み部４２を通じてハウジング４１に差し込まれたフレキシブル印刷配線基板４３における透孔４５に係合して当該フレキシブル印刷配線基板４３に対する係止を行うロック状態と当該係止を解除するロック解除状態とを選択的にとる一対の板状部材係止部５７が一対の係合突起を成すものとして設けられ、さらに、係合受け部５６と一対の板状部材係止部５７との間の位置に、弾性押圧部５３に係合してその弾性変位についての規制を行う規制状態と当該規制を解除する規制解除状態とを選択的にとる一対の変位規制部５８が設けられている。
【００７２】
図２０に示されるように、コネクタ装置４０のハウジング４１には、ロック手段５１に作用するロック解除手段を成す可動ロック解除部６０が設けられている。可動ロック解除部６０は、ハウジング４１におけるコンタクト配列方向の中央部分に設けられて、各々の固定端部がハウジング４１の天板部４１ｄに連結された３個の可動アーム部６１Ａ，６１Ｂ及び６１Ｃと、３個の可動アーム部６１Ａ，６１Ｂ及び６１Ｃの夫々の可動端部によって支持されてコンタクト配列方向に伸び、ロック手段５１における弾性アーム部５４の係合受け部５６、及び、複数のコンタクト４６の夫々における係合受け部に押圧作用を及ぼす状態をとる押圧部６２とを有している。
【００７３】
可動ロック解除部６０の可動アーム部６１Ｃは、各々の一端部がハウジング４１の天板部４１ｄに連結されるとともに、各々の他端部が押圧部６２に連結された一対の平行ビーム部６４によって構成されている。これら一対の平行ビーム部６４の夫々の一端部が可動アーム部６１Ｃの固定端部を成し、また、一対の平行ビーム部６４の夫々の他端部が可動アーム部６１Ｃの可動端部を成している。
【００７４】
可動ロック解除部６０の押圧部６２は、ロック手段５１における弾性アーム部５４の係合受け部５６に押圧作用を及ぼす弾性アーム押圧部分と、複数のコンタクト４６の夫々における係合受け部に押圧作用を及ぼすコンタクト押圧部分とを有している。
【００７５】
ロック手段５１は、ハウジング４１内に、前述のコネクタ装置１０が備える一対のロック手段２１Ａ及び２１Ｂの夫々と同様の態様をもって配され、ロック手段２１Ａ及び２１Ｂの夫々と同様の動作を行って、ロック手段２１Ａ及び２１Ｂの夫々と同様の役割を果たす。具体的には、固定部５２がハウジング４１の底板部４１ｃに固定されたロック手段５１は、弾性押圧部５３が板状部材差込み部４２を通じてハウジング４１に差し込まれたフレキシブル印刷配線基板４３によりフレキシブル印刷配線基板４３のハウジング４１への差込み方向に弾性変位せしめられていないときには、弾性押圧部５３における弾性アーム部５４側の端面部が弾性アーム部５４に設けられた変位規制部５８に当接して、弾性アーム部５４を、それに設けられた板状部材係止部５７がロック解除状態をとる位置におかれるとともに変位規制部５８が規制解除状態をとる位置におかれることになる位置に保持する。斯かる際、弾性アーム部５４に設けられた一対の板状部材係止部５７は、ハウジング４１内において拡がる板状部材収容空間内に配されて、弾性アーム部５４からハウジング４１の底板部４１ｃに向かって突出するものとされる。また、このとき、弾性アーム部５４に設けられた係合受け部５６が、可動ロック解除部６０の押圧部６２における弾性アーム押圧部分に近接もしくは当接した位置に配される。
【００７６】
斯かるもとで、図２０に示されるフレキシブル印刷配線基板４３が、コネクタ装置４０のハウジング４１に板状部材差込み部４２を通じて差し込まれる。その際、フレキシブル印刷配線基板４３は、その端子配列方向がコネクタ装置４０におけるコンタクト配列方向と平行になるようにされ、また、複数の接触端子部が配列配置された平面４３ｂをハウジング４１における底板部４１ｃの内面に対面させる状態をもって、板状部材差込み部４２を通じてハウジング４１に差し込まれる。
【００７７】
フレキシブル印刷配線基板４３がコネクタ装置４０のハウジング４１に板状部材差込み部４２を通じて差し込まれたときには、フレキシブル印刷配線基板４３における差込み方向の先端部分が、ハウジング４１内において拡がる板状部材収容空間をハウジング４１の背面側端面部に向かって進む。そして、フレキシブル印刷配線基板４３における差込み方向の先端部分が板状部材収容空間内の予め定められた所定の位置に達して、フレキシブル印刷配線基板４３の差込みが完了すると、フレキシブル印刷配線基板４３における差込み方向の先端部分が、ロック手段５１の弾性押圧部５３に当接して、弾性押圧部５３をフレキシブル印刷配線基板４３のハウジング４１への差込み方向に弾性変位させる。フレキシブル印刷配線基板４３における差込み方向の先端部分によりフレキシブル印刷配線基板４３のハウジング４１への差込み方向に弾性変位せしめられた弾性押圧部５３は、フレキシブル印刷配線基板４３にそのハウジング４１への差込み方向とは逆方向の弾性押圧力を作用させる。
【００７８】
それとともに、ロック手段５１の弾性押圧部５３における弾性アーム部５４側の端面部が、ロック手段５１の弾性アーム部５４に設けられた変位規制部５８に当接した状態から変位規制部５８には当接しない状態に移行し、それにより、弾性アーム部５４がその弾力付勢によってロック手段５１の固定部５２に向かう方向に変位して、弾性アーム部５４に設けられた変位規制部５８が、弾性押圧部５３に係合してその弾性変位についての規制を行う規制状態をとる。
【００７９】
上述のように、ロック手段５１の弾性アーム部５４がその弾力付勢によってロック手段５１の固定部５２に向かう方向に変位することにより、弾性アーム部５４に設けられた板状部材係止部５７が、ハウジング４１に差し込まれたフレキシブル印刷配線基板４３における透孔４５に係合してフレキシブル印刷配線基板４３に対する係止を行うロック状態をとる。
【００８０】
このようにして、ロック手段５１の弾性アーム部５４に設けられた板状部材係止部５７がフレキシブル印刷配線基板４３に対する係止を行うロック状態をとることにより、板状部材差込み部４２を通じてハウジング４１に差し込まれたフレキシブル印刷配線基板４３が、ロック手段５１による係止状態のもとにおかれ、ハウジング４１からの不所望な抜脱が阻止されるものとされる。
【００８１】
また、このとき、板状部材差込み部４２を通じてハウジング４１に差し込まれたフレキシブル印刷配線基板４３の平面４３ｂに配列配置された複数の接触端子部が、複数のコンタクト４６を介して、ハウジング４１が配された配線基板に設けられた配線端子に電気的に接続される。
【００８２】
その後、ロック手段５１が板状部材差込み部４２を通じてハウジング４１に差し込まれたフレキシブル印刷配線基板４３に対する係止状態をとるもとで、ハウジング４１に設けられた可動ロック解除部６０が、例えば、その押圧部６２に手動による押圧操作が加えられて、押圧部６２がハウジング４１が配された配線基板に向かう方向に押されると、それにより、押圧部６２における弾性アーム押圧部分が、ロック手段５１の弾性アーム部５４における係合受け部５６に当接してその係合受け部５６に押圧作用を及ぼす。
【００８３】
このようにして、可動ロック解除部６０が、その押圧部６２における弾性アーム押圧部分をもって、ロック手段５１の弾性アーム部５４における係合受け部５６に押圧作用を及ぼすときには、それにより、ロック手段５１の弾性アーム部５４が、固定部５２から離隔する方向に変位する。そして、固定部５２から離隔する方向に変位したロック手段５１の弾性アーム部５４は、それに設けられた一対の板状部材係止部５７に、フレキシブル印刷配線基板４３における透孔４５との係合を解除して、フレキシブル印刷配線基板４３に対する係止を解除するロック解除状態をとらせるとともに、それに設けられた変位規制部５８に、ロック手段５１の弾性押圧部５３の弾性変位についての規制を解除する規制解除状態をとらせて、ロック手段５１の弾性押圧部５３に、フレキシブル印刷配線基板４３のハウジング４１への差込み方向とは逆の方向に弾性変位してフレキシブル印刷配線基板４３を板状部材差込み部４２の外部に向けて押圧する動作を行わせ、さらに、弾性押圧部５３に、それにおける弾性アーム部５４側の端面部を弾性アーム部５４に設けられた変位規制部５８に当接させて、弾性アーム部５４を、板状部材係止部５７がロック解除状態をとるとともに変位規制部５８が規制解除状態をとる位置に維持する動作を行わせる。それにより、板状部材差込み部４２を通じてハウジング４１に差し込まれたフレキシブル印刷配線基板４３に対するロック手段５１による係止状態の解除がなされるとともに、その係止状態の解除が維持されることになる。
【００８４】
さらに、ハウジング４１に配列配置された複数のコンタクト４６の夫々の可動片持ちビーム部に形成された接触突起部が、ハウジング４１に差し込まれたフレキシブル印刷配線基板４３の平面４３ｂに配列配置された複数の接触端子部のうちの対応するものに弾性当接したもとで、ハウジング４１に設けられた可動ロック解除部６０が、例えば、その押圧部６２に手動による押圧操作が加えられて、押圧部６２がハウジング４１が配された配線基板に向かう方向に押されるときには、それにより、押圧部６２におけるコンタクト押圧部分が、複数のコンタクト４６の夫々における係合受け部に当接してその係合受け部に押圧作用を及ぼす。
【００８５】
可動ロック解除部６０が、その押圧部６２におけるコンタクト押圧部分をもって、複数のコンタクト４６の夫々における係合受け部に押圧作用を及ぼすときには、それにより、複数のコンタクト４６の夫々における可動片持ちビーム部が、それに形成された接触突起部をそれに対応するフレキシブル印刷配線基板４３の平面４３ｂに配列配置された接触端子部から離隔させる方向に弾性変位する。それにより、各々がフレキシブル印刷配線基板４３の平面４３ｂに配列配置された接触端子部に弾性当接して接触接続された複数のコンタクト４６が、押圧部６２におけるコンタクト押圧部分による押圧作用を受けることにより、複数の接触端子部に対する弾性当接を解除することになる。
【００８６】
上述のようにして、可動ロック解除部６０が、例えば、その押圧部６２に手動による押圧操作が加えられるものとされて、板状部材差込み部４２を通じてハウジング４１に差し込まれたフレキシブル印刷配線基板４３に対するロック手段５１による係止状態の解除がなされるとともにその係止状態の解除が維持され、さらに、ハウジング４１に配列配置された複数のコンタクト４６のフレキシブル印刷配線基板４３に設けられた複数の接触端子部に対する弾性当接が解除されることにより、一旦ハウジング４１に差し込まれてロック手段５１による係止状態のもとにおかれたフレキシブル印刷配線基板４３が、ハウジング１１から意図的に抜脱され得るものとされる。
【００８７】
上述のようなロック手段５１とロック解除手段を成す可動ロック解除部６０とを備えたコネクタ装置４０によっても、前述の一対のロック手段２１Ａ及び２１Ｂとロック解除手段を成す可動ロック解除部３０とを備えたコネクタ装置１０の場合と同様な作用効果が得られる。
【産業上の利用可能性】
【００８８】
以上のような本発明に係るコネクタ装置は、例えば、フレキシブル印刷配線基板等とされる配線板状部材の配線基板への取付けに用いられる、板状部材差込み部が設けられたハウジング，ハウジングに配列配置されてハウジングに差し込まれた配線板状部材の接触端子部に接続される複数のコンタクト，ハウジングに差し込まれた配線板状部材に対する係止状態をとるロック手段、及び、ロック手段による配線板状部材に対する係止状態を解除するロック解除手段を備えたコネクタ装置であって、一旦ハウジングに差し込まれてロック手段による係止状態がとられた配線板状部材のハウジングからの抜脱にあたり、ロック解除手段に対する作業性の良くない煩わしい操作が必要とされないものとして、様々な電子機器等に広く適用され得るものである。
【符号の説明】
【００８９】
１０，４０・・・コネクタ装置，  １１，４１・・・ハウジング，  １１ａ，４１ａ・・・正面側端面部，  １１ｂ・・・背面側端面部，  １１ｃ，４１ｃ・・・底板部，  １１ｄ，４１ｄ・・・天板部，  １２，４２・・・板状部材差込み部，  １３，４３・・・フレキシブル印刷配線基板，  １４・・・接触端子部，  １５Ａ，１５Ｂ・・・切欠き部，  １６，４６・・・コンタクト，  １７，２２Ａ，２２Ｂ，５２・・・固定部，  １８・・・可動片持ちビーム部，  １８ａ，２６Ａ，２６Ｂ，５６・・・係合受け部，  １８ｂ・・・接触突起部，  １９・・・基板接続部,   ２０・・・コンタクト収容溝，  ２１Ａ，２１Ｂ，５１・・・ロック手段，  ２３Ａ，２３Ｂ，５３・・・弾性押圧部，  ２４Ａ，２４Ｂ，５４・・・弾性アーム部，  ２５Ａ，２５Ｂ，５５・・・基板連結部，  ２７Ａ，２７Ｂ，５７・・・板状部材係止部，  ２８Ａ，２８Ｂ，５８・・・変位規制部，  ３０，６０・・・可動ロック解除部，  ３１Ａ，３１Ｂ，６１Ａ，６１Ｂ，６１Ｃ・・・可動アーム部，  ３２，６２・・・押圧部，  ３３Ａ，３３Ｂ・・・（押圧部３２の) 端部，  ３３Ｃ・・・（押圧部３２の) 中間部，  ３４Ａ，３４Ｂ，６４・・・平行ビーム部
【図１】
2014112472.tif 000003
【図２】
2014112472.tif 000004
【図３】
2014112472.tif 000005
【図４】
2014112472.tif 000006
【図５】
2014112472.tif 000007
【図６】
2014112472.tif 000008
【図７】
2014112472.tif 000009
【図８】
2014112472.tif 000010
【図９】
2014112472.tif 000011
【図１０】
2014112472.tif 000012
【図１１】
2014112472.tif 000013
【図１２】
2014112472.tif 000014
【図１３】
2014112472.tif 000015
【図１４】
2014112472.tif 000016
【図１５】
2014112472.tif 000017
【図１６】
2014112472.tif 000018
【図１７】
2014112472.tif 000019
【図１８】
2014112472.tif 000020
【図１９】
2014112472.tif 000021
【図２０】
2014112472.tif 000022
【図２１】
2014112472.tif 000023
【図２２】
2014112472.tif 000024